(57)【特許請求の範囲】
【請求項１】
電流センサを固定するための電流センサ固定部と,
前記電流センサ固定部に連接する本体と、バッテリーを固定するためのバッテリー固定用ボルトに嵌合するボルト嵌合用クリップとを有するボルト嵌合部と,を有する
ことを特徴とする電流センサ固定用クリップ。
【請求項２】
請求項１に記載の電流センサ固定用クリップにおいて、
バッテリーポストに接続されるバッテリーケーブルを固定するためのケーブル固定部を有する
ことを特徴とする電流センサ固定用クリップ。
【請求項３】
請求項２に記載の電流センサ固定用クリップにおいて、
前記ケーブル固定部を、前記バッテリーケーブルの配索経路に合わせて、下方にくの字状に曲がる形状に形成する
ことを特徴とする電流センサ固定用クリップ。
【請求項４】
請求項１ないし請求項３いずれか記載の電流センサ固定用クリップにおいて、
前記ボルト嵌合用クリップに、前記バッテリー固定用ボルトのボルトねじ山に対し嵌合する略爪状の一対のロックが設けられており、
前記一対のロックは、前記バッテリー固定用ボルトを前記ボルト嵌合用クリップ内に差し込む力が働く場合には、前記ボルトねじ山に対して嵌合する嵌合状態を解除し、前記バッテリー固定用ボルトを前記ボルト嵌合用クリップ内から引き抜く力が働く場合には、前記嵌合状態が解除しないようにする
ことを特徴とする電流センサ固定用クリップ。
【請求項５】
請求項１ないし請求項４いずれか記載の電流センサ固定用クリップにおいて、
前記ボルト嵌合用クリップを、前記バッテリー固定用ボルトに対し着脱自在に形成する
ことを特徴とする電流センサ固定用クリップ。
【請求項６】
バッテリーを固定するためのバッテリー固定用ボルトの位置に、請求項１ないし請求項５いずれか記載の電流センサ固定用クリップを用いて電流センサを配置固定する
ことを特徴とする電流センサの固定構造。
【発明の詳細な説明】
【技術分野】
【０００１】
本発明は、電流センサを所定位置に配置固定するためのクリップ、及びこのクリップを用いての固定構造に関する。
【背景技術】
【０００２】
下記特許文献１には、車両における電流センサの組み付け構造に係る技術が開示されている。簡単に説明すると、電流検出対象部であるケーブル端子にアタッチメントが組み付けられ、このアタッチメントを介して電流センサが組み付けられている。アタッチメントの外面及び電流センサの孔内には、それぞれ係止手段が設けられている。これら係止手段の引っ掛かり合いによって係止状態が形成されている。ケーブル端子は、バッテリーのバッテリーポストに接続されるバッテリーターミナルにボルト締めによって組み付けられている。下記特許文献１に開示された電流センサの組み付け構造は、電流センサの組み付け作業性を向上させるためとして提案されている。
【先行技術文献】
【特許文献】
【０００３】
【特許文献１】特開２００４−２１９３０１号公報
【発明の概要】
【発明が解決しようとする課題】
【０００４】
ところで、上記従来技術にあっては、ケーブル端子にアタッチメントを組み付けて電流センサを所定位置に固定する構造であることから、ケーブル端子に電流センサの重量が加わってしまうことになる。このためケーブル端子は、上記重量が加わった状態で車両の振動等に耐え得るだけの強度を少なくとも確保しなければならないという問題点を有している。
【０００５】
また、上記従来技術にあっては、アタッチメントや電流センサの組み付けをするために、ケーブル端子の長さを比較的長く設定しなければならないことから、ケーブル端子が専用の端子、言い換えればコスト高の端子になってしまうという問題点を有している。
【０００６】
本発明は、上記した事情に鑑みてなされたもので、ケーブル端子に負担を掛けず、電流センサをより良い位置で固定することが可能な部品を提供することを課題とするとともに、この部品を用いての固定構造を提供することも課題とする。
【課題を解決するための手段】
【０００７】
上記課題を解決するためになされた請求項１記載の本発明の電流センサ固定用クリップは、電流センサを固定するための電流センサ固定部と,前記電流センサ固定部に連接する本体と、バッテリーを固定するためのバッテリー固定用ボルトに嵌合するボルト嵌合用クリップとを有するボルト嵌合部と,を有することを特徴とする。
【０００８】
このような特徴を有する本発明によれば、本発明の電流センサ固定用クリップを用いることにより、電流センサの配置がバッテリー固定用ボルトの位置になり、また、電流センサがバッテリー固定用ボルトに固定される。
【０００９】
請求項２記載の本発明の電流センサ固定用クリップは、請求項１に記載の電流センサ固定用クリップにおいて、バッテリーポストに接続されるバッテリーケーブルを固定するためのケーブル固定部を有することを特徴とする。
【００１０】
このような特徴を有する本発明によれば、電流検出対象となるバッテリーケーブルも固定される。
【００１１】
請求項３記載の本発明の電流センサ固定用クリップは、請求項２に記載の電流センサ固定用クリップにおいて、前記ケーブル固定部を、前記バッテリーケーブルの配索経路に合わせて、下方にくの字状に曲がる形状に形成することを特徴とする。
【００１２】
このような特徴を有する本発明によれば、所定の配索経路でバッテリーケーブルが配索される。ケーブル固定部に関し、上記以外の特徴を挙げるとすると、ケーブル固定部はバッテリーケーブルを載置する部分及びこの部分とは別に屈曲部分を介してバッテリーケーブルを固定する部分を有することを特徴に挙げることができるものとする。理由は、バッテリーポストとバッテリー固定用ボルトとの距離にバラツキが生じた場合であっても、バッテリーケーブルの弛みで追従させることが可能になるからである。
【００１３】
請求項４記載の本発明の電流センサ固定用クリップは、請求項１ないし請求項３いずれか記載の電流センサ固定用クリップにおいて、前記ボルト嵌合用クリップに、前記バッテリー固定用ボルトのボルトねじ山に対し嵌合する略爪状の一対のロックが設けられており、前記一対のロックは、前記バッテリー固定用ボルトを前記ボルト嵌合用クリップ内に差し込む力が働く場合には、前記ボルトねじ山に対して嵌合する嵌合状態を解除し、前記バッテリー固定用ボルトを前記ボルト嵌合用クリップ内から引き抜く力が働く場合には、前記嵌合状態が解除しないようにすることを特徴とする。
【００１４】
このような特徴を有する本発明によれば、バッテリー固定用ボルトに対してボルト嵌合部を差し込むと、バッテリー固定用ボルトのボルトねじ山に略爪状のロックが嵌合する。
【００１５】
請求項５記載の本発明の電流センサ固定用クリップは、請求項１ないし請求項４いずれか記載の電流センサ固定用クリップにおいて、前記ボルト嵌合用クリップを、前記バッテリー固定用ボルトに対し着脱自在に形成することを特徴とする。
【００１６】
このような特徴を有する本発明によれば、嵌め殺し（永久結合）でなく着脱自在のものとなる。尚、取り外しに関しては、後述の、発明を実施するための形態の欄にて説明をする。
【００１７】
上記課題を解決するためになされた請求項６記載の本発明の電流センサの固定構造は、バッテリーを固定するためのバッテリー固定用ボルトの位置に、請求項１ないし請求項５いずれか記載の電流センサ固定用クリップを用いて電流センサを配置固定することを特徴とする。
【００１８】
このような特徴を有する本発明によれば、電流センサ（及びバッテリーケーブル）を固定する部分を有し、また、バッテリー固定用ボルトに対して嵌合する部分を有する電流センサ固定用クリップを用いることから、電流センサの配置がバッテリー固定用ボルトの位置になり、また、電流センサがバッテリー固定用ボルトに固定される。
【００１９】
上記以外の特徴を挙げるとすると、バッテリーに対して又はバッテリーに付随する部材に対して載置をする部分となる載置部と、バッテリー又は上記付随する部材に当接して向きや位置の安定化を図る部分となる規制壁と、バッテリー固定用ボルトの先端側部をガイドする部分となるボルトガイド部分とを有するようにすることを特徴に挙げることができるものとする。
【発明の効果】
【００２０】
請求項１に記載された本発明によれば、電流センサをより良い位置で固定するための部品として、電流センサ固定用クリップを提供することができるという効果を奏する。本発明の電流センサ固定用クリップを用いることにより、電流センサの配置固定位置を従来のようなケーブル端子の位置にする必要性はなく、また、ケーブル端子に十分な強度を持たせる必要もなく、さらには、コスト高のケーブル端子にもならないことから、従来の問題点を解消することができるという効果を奏する。
【００２１】
請求項２に記載された本発明によれば、電流センサと共に電流検出対象となるバッテリーケーブルも固定することができるという効果を奏する。これにより、バッテリーケーブルの位置を安定させて電流検出の精度を高めることができるという効果を奏する。本発明によれば、バッテリーケーブル及び電流センサを固定することから、振動等による異音の発生を防止することや、バッテリーケーブルの振れを抑制することに寄与できるという効果を奏する。この他、本発明によれば、作業に関し、バッテリー固定用ボルトに嵌合させ、また、バッテリーケーブル及び電流センサを固定するだけの作業であることから、作業性向上を図ることができるという効果を奏する。
【００２２】
請求項３に記載された本発明によれば、バッテリーケーブルを固定しつつこのバッテリーケーブルを所望の配索経路に沿って配索することができるという効果を奏する。これにより、バッテリーケーブルの配索状態を安定させることができるという効果を奏する。
【００２３】
請求項４に記載された本発明によれば、バッテリー固定用ボルトに対する嵌合をより良い嵌合状態にすることができるという効果を奏する。
【００２４】
請求項５に記載された本発明によれば、着脱自在の電流センサ固定用クリップであることから、例えばメンテナンスの際の作業性を向上させることができるという効果を奏する。また、着脱自在であれば取り外しの際に破壊をする必要がなくなり、不必要な廃棄等を抑制して環境面に配慮することができるという効果を奏する。
【００２５】
請求項６に記載された本発明によれば、電流センサ固定用クリップを用いて電流センサをより良い位置に配置及び固定をすることができるという効果を奏する。
【図面の簡単な説明】
【００２６】
【図１】本発明を含むバッテリーの斜視図である。
【図２】電流センサ固定用クリップ及び電流センサの斜視図である。
【図３】電流センサ固定用クリップ及び電流センサの断面図である。
【図４】電流センサ固定用クリップの斜視図である。
【図５】バッテリー固定用ボルトに嵌合する部分の断面図である。
【発明を実施するための形態】
【００２７】
以下、図面を参照しながら本発明の一実施形態を説明する。図１は本発明を含むバッテリーの斜視図である。
【００２８】
図１において、引用符号１は自動車等の車両に搭載されるバッテリーを示している。このバッテリー１は、公知のものであって、バッテリー本体２の上面に正極及び負極のバッテリーポスト３及び４を有している。正極のバッテリーポスト３には、バッテリーターミナル５を介してバッテリーケーブル６が接続されている。また、負極のバッテリーポスト４にもバッテリーターミナル７を介してバッテリーケーブル８が接続されている。
【００２９】
バッテリー本体２は、このバッテリー本体２の前後両側部に配置される一対のバッテリー固定用ボルト９と、一対のバッテリー固定用ボルト９に係合してバッテリー本体２の上面を押さえつけるステー１０とを用いて、図示しない専用のバッテリー搭載部に固定されている。一対のバッテリー固定用ボルト９及びステー１０は、バッテリー本体２を固定するための付属品として設けられている。
【００３０】
一対あるうちの、一方のバッテリー固定用ボルト９の凸部となる先端には、本発明に係る電流センサ固定用クリップ１１が嵌合している。電流センサ固定用クリップ１１は、バッテリーケーブル８と、このバッテリーケーブル８を電流検出対象とする電流センサ１２とを固定するための部品として設けられている。バッテリーケーブル８及び電流センサ１２は、本形態において、電流センサ固定用クリップ１１によりバッテリー固定用ボルト９の位置に固定されている（電流センサ固定用クリップ１１を嵌合支持することができる凸部を設けることで、この凸部の位置でバッテリーケーブル８及び電流センサ１２を固定することができる）。
【００３１】
図２及び図３は電流センサ固定用クリップ及び電流センサの斜視図及び断面図である。また、図４は電流センサ固定用クリップの斜視図である。
【００３２】
図１ないし図４において、電流センサ固定用クリップ１１は、バッテリーケーブル８を固定するためのケーブル固定部１３と、電流センサ１２を固定するための電流センサ固定部１４と、バッテリー固定用ボルト９の先端に嵌合するボルト嵌合部１５とを一体に有している。電流センサ固定用クリップ１１は、上記３つの機能部を有する合成樹脂製の部品として設けられている。
【００３３】
ケーブル固定部１３、電流センサ固定部１４、及びボルト嵌合部１５の一体化に関しては、バッテリー固定用ボルト９の先端に嵌合するボルト嵌合部１５にケーブル固定部１３が一体化し、そしてケーブル固定部１３に電流センサ固定部１４が一体化するような状態で一体に形成されている。ケーブル固定部１３及び電流センサ固定部１４は、ボルト嵌合部１５に支持されるような形状に形成されている。ボルト嵌合部１５がバッテリー固定用ボルト９の先端に嵌合すると、バッテリーケーブル８及び電流センサ１２は、バッテリー固定用ボルト９の位置で固定されるようになっている。従って、従来例のような、ケーブル端子にアタッチメントを介して電流センサを固定する構造ではないことが分かる。以下、上記３つの機能部について詳細に説明する。
【００３４】
ケーブル固定部１３は、バッテリーケーブル８を載置する部分として形成されるケーブル載置部分１６と、バッテリーケーブル８をテープ巻き１７により固定する部分として形成されるテープ巻き部分１８とを有している（尚、テープ巻き１７を用いずにバンドクリップで固定してもよいものとする）。ケーブル載置部分１６及びテープ巻き部分１８は、屈曲部分を介して連続するように形成されている。これらは、バッテリーケーブル８の被覆外面よりも大きな曲率で凹むような形状に形成されている。このようなケーブル固定部１３は、バッテリーケーブル８の配索経路に合う形状に形成されている。本形態においては、テープ巻き部分１８が下方に「くの字状」に曲がるような形状に形成されている。ケーブル載置部分１６及びテープ巻き部分１８の配置は、ケーブル載置部分１６が負極のバッテリーポスト４に近い側となるように配置されている。ケーブル固定部１３は、ケーブル載置部分１６及びテープ巻き部分１８を有するとともに、「くの字状」に曲がる形状に形成されることにより、バッテリーポスト４とバッテリー固定用ボルト９との距離にバラツキが生じた場合であっても、バッテリーケーブル８の弛みで追従することができるようになっている。
【００３５】
電流センサ固定部１４は、ケーブル載置部分１６に連続するように形成されている。電流センサ固定部１４は、上記の如く電流センサ１２を固定するための部分であって、略爪状の係止突起１９を含む係止部分２０と、電流センサ１２の一部（図示省略）をガイドして支持する一対のセンサ挿入支持部分２１とを有している。本形態において、一対のセンサ挿入支持部分２１の一方は、ボルト嵌合部１５に連成されている。
【００３６】
ボルト嵌合部１５は、ケーブル固定部１３やセンサ挿入支持部分２１が連成される本体２２と、バッテリー固定用ボルト９に嵌合するボルト嵌合用クリップ２３とを有している。ボルト嵌合用クリップ２３は、本体２２に係合する小部品であるとともに、バッテリー固定用ボルト９の軸周りに回動自在となるように形成されている。ボルト嵌合用クリップ２３の具体的な形状は、図４及び図５を参照しながら説明する。図５はバッテリー固定用ボルトに嵌合する部分の断面図である。
【００３７】
図４及び図５において、ボルト嵌合用クリップ２３は、バッテリー固定用ボルト９の凸部となる先端に差し込まれる略キャップ状の形状に形成されている。このようなボルト嵌合用クリップ２３には、バッテリー固定用ボルト９のボルトねじ山２４に嵌合する一対の略爪状のロック２５が設けられている。一対のロック２５は、バッテリー固定用ボルト９への差し込みにおいて撓みが生じ、嵌合を許容することができるようになる一方、引き抜き方向の力が加わると、この場合に嵌合を解除することができないような形状に形成されている。
【００３８】
尚、嵌合を解除して取り外しをするためには、ボルト嵌合用クリップ２３を例えばナットのように回動させればよい（ボルト嵌合用クリップ２３を回動させると、ロック２５がボルトねじ山２４の間を移動し、これに伴って電流センサ固定用クリップ１１全体が上昇することから、簡単に取り外しをすることができる）。
【００３９】
ボルト嵌合用クリップ２３は、バッテリー固定用ボルト９の先端面２６に対向配置される上壁２７と、バッテリー固定用ボルト９の先端側部をガイドすることが可能なボルトガイド部分２８とを有している。ボルト嵌合用クリップ２３は、一対のロック２５及びボルトガイド部分２８が少なくともバッテリー固定用ボルト９に接する部分として設定されている。電流センサ固定用クリップ１１の固定状態を安定させるためとしては、上記ボルトガイド部分２８等の他に、後述する載置部３５及び規制壁３７が有効になっている。
【００４０】
この他、電流センサ固定用クリップ１１の底部には、ステー１０に対して載置される部分としての載置部２９、３５が形成されている。電流センサ固定用クリップ１１は、載置部２９、３５を介して載置されることにより、バッテリーケーブル８及び電流センサ１２の固定状態をさらに安定化させることができるように形成されている（バッテリー固定用ボルト９の先端にボルト嵌合１５が嵌合しただけの状態、すなわち上記のような載置部２９、３５を設けなくとも、固定状態は十分に安定しているものとする）。載置部２９、３５の他には、ステー１０の端部３６（図１参照）に当接して向きや位置の安定化を図る規制壁３７が形成されている。
【００４１】
電流センサ１２は、所定の形状に形成されるケース３０を有している。このケース３０の内部には、図示しないコア及びホール素子が備えられている。電流センサ１２は、バッテリーケーブル８に流れる電流の強弱に応じた磁束が上記コアに発生すると、この発生した磁束が上記ホール素子により検知されるようになっている。引用符号３１は検知した結果を出力するためのセンサケーブルを示している。このセンサケーブル３１は、図示しない電流回路に接続されている。センサケーブル３１は、本形態において、電流センサ固定用クリップ１１にてテープ巻き１７により固定されている。
【００４２】
ケース３０には、バッテリーケーブル８が挿通される貫通孔３２が形成されている。また、この貫通孔３２の部分には、バッテリーケーブル８が載置されるケーブル載置部分３３が形成されている。ケーブル載置部分３３は、この一部が舌片状にのびて電流センサ固定部１４の係止突起１９に係止されるように形成されている。すなわち、係止部３４が貫通形成されている。ケース３０には、電流センサ固定部１４の一対のセンサ挿入支持部分２１に挿入ガイドされる部分（図示省略）が形成されている。
【００４３】
上記構成において、先ず、電流センサ１２の貫通孔３２にバッテリーケーブル８を挿通し、次に、電流センサ１２を電流センサ固定部１４に固定するとともに、バッテリーケーブル８をテープ巻き１７によりケーブル固定部１３に固定し、最後に、バッテリー固定用ボルト９の先端にボルト嵌合部１５を嵌合させると、電流センサ１２及びバッテリーケーブル８は電流センサ固定用クリップ１１によりバッテリー固定用ボルト９の位置に配置固定される。
【００４４】
以上、本発明の電流センサ固定用クリップ１１を用いることにより、電流センサ１２の配置固定位置を従来のようなケーブル端子の位置にする必要性はなく、また、ケーブル端子に十分な強度を持たせる必要もなく、さらには、コスト高のケーブル端子にもならないことから、従来の問題点を解消することができる。
【００４５】
本発明は本発明の主旨を変えない範囲で種々変更実施可能なことは勿論である。
【符号の説明】
【００４６】
１…バッテリー
２…バッテリー本体
３、４…バッテリーポスト
５、７…バッテリーターミナル
６、８…バッテリーケーブル
９…バッテリー固定用ボルト
１０…ステー
１１…電流センサ固定用クリップ
１２…電流センサ
１３…ケーブル固定部
１４…電流センサ固定部
１５…ボルト嵌合部
１６…ケーブル載置部分
１７…テープ巻き
１８…テープ巻き部分
１９…係止突起
２０…係止部分
２１…センサ挿入支持部分
２２…本体
２３…ボルト嵌合用クリップ
２４…ボルトねじ山
２５…ロック
２６…先端面
２７…上壁
２８…ボルトガイド部分
２９、３５…載置部
３０…ケース
３１…センサケーブル
３２…貫通孔
３３…ケーブル載置部分
３４…係止部
３６…端部
３７…規制壁
【図１】
0005543141.tif 000002
【図２】
0005543141.tif 000003
【図３】
0005543141.tif 000004
【図４】
0005543141.tif 000005
【図５】
0005543141.tif 000006